(57)【要約】【課題】ブラインドや映写幕に損傷を与えることなく、これらを効率よく洗浄可能な洗浄装置を提供する。【解決手段】ブラインドや映写幕等の洗浄対象物を擦り洗いする一対のブラシローラが互いに反対方向に回転駆動され、しかも、一対のブラシローラの洗浄対象物と接する下方部分が互いに離れる方向に回転する。洗浄対象物の端部を洗浄する際、ブラシローラのブラシ部分が洗浄対象物の端部を外側に撫で下ろすように擦り洗いすることになり、洗浄対象物の端部を捲くり上げることがないので、洗浄対象物を損傷させずに洗浄することができる。【選択図】図１
2008194627.tif 000002
【特許請求の範囲】
【請求項１】
ブラインドや映写幕等の展延性を有する洗浄対象物を洗浄する洗浄装置であって、
前記洗浄対象物の展延された部分を担持する平坦部を有する作業台と、
前記作業台を挟んで前記作業台の両側に配置され、前記洗浄対象物の洗浄に用いられる洗浄液が貯留されると共に、前記洗浄対象物を収容し得る第１及び第２の洗浄槽と、
前記作業台の平坦部上に展延された洗浄対象物の表面に接しながらその回転軸を中心に回転駆動されると共に、その回転軸と直角な方向でかつ前記第１及び第２の洗浄槽を結ぶ方向と直角な方向に前記作業台の平坦部上面に沿って前記平坦部の上方を移動自在に設けられた一対のブラシローラと、
前記作業台の平坦部上に展延された洗浄対象物又は前記ブラシローラに前記第１又は第２の洗浄槽に貯留されている洗浄液を散布する洗浄液散布手段とを備え、
前記一対のブラシローラは前記作業台側の下方部分が互いに離れる方向に回転することを特徴とする洗浄装置。
【請求項２】
請求項１に記載の洗浄装置であって、
前記第１若しくは第２の洗浄槽は前記作業台の平坦部よりも鉛直方向下側に配置され、
前記作業台の平坦部には前記洗浄液散布手段により散布された洗浄液が流れ落ちる複数の透孔が形成され、
前記作業台の平坦部の鉛直下方に傾斜して設けられ、前記透孔から流れ落ちる洗浄液を受け、これを前記作業台の平坦部よりも鉛直方向下方側に配置された前記第１若しくは第２の洗浄槽に誘導する洗浄液誘導板を備えることを特徴とする洗浄装置。
【請求項３】
請求項１又は２に記載の洗浄装置であって、
前記作業台はステンレスで形成され、その表面には前記洗浄対象物との直接接触を防止する接触防止処理がされていることを特徴とする洗浄装置。
【請求項４】
請求項１、２又は３に記載の洗浄装置を用いて前記洗浄対象物を洗浄する洗浄方法であって、
前記作業台の平坦部上に展延された前記洗浄対象物の表面に前記一対のブラシローラが接した状態から前記ブラシローラによる前記洗浄対象物の洗浄が始まることを特徴とする洗浄方法。
【発明の詳細な説明】
【技術分野】
【０００１】
本発明は、建物の窓に掛けられるロールスクリーンやブラインド、映像投影用の映写幕（スクリーン）等の展延性を有する洗浄対象物の洗浄に適した洗浄装置及び洗浄方法に関するものである。
【背景技術】
【０００２】
建築物の窓に遮光のために取り付けられるブラインドは、スラットと呼ばれる羽板を複数、所定の間隔をあけて昇降自在吊り下げ、羽板の傾斜角度を調節することにより、遮光量を調節できるようになっている。ブラインドは、長期間の使用により羽板に埃が堆積するなどして汚れる。このように汚れたブラインドを洗浄する装置として、下記特許文献１及び２に掲載の洗浄装置が提案されている。
【０００３】
特許文献１に掲載の洗浄装置は、超音波による振動エネルギーを利用した洗浄装置である。しかし、超音波を利用する洗浄装置の場合、洗剤を混ぜた洗浄液中での超音波洗浄だけではブラインドに汚れが残ることがあった。このため、結局視認による点検を行い、汚れが残っている場合は、その部分を束子やスポンジ等で人手に頼って擦り洗いする必要があり、作業効率の点で改善の余地があった。
【０００４】
また、特許文献２に掲載の洗浄装置は、ブラインドの羽板をブラシで擦り洗いする洗浄装置であるが、ブラシによる擦り洗いの際、羽板の端部を捲り上げて羽板を損傷させてしまう虞があった。
【特許文献１】特開２０００−２０１８６０号公報
【特許文献２】特開平５−２８５４３１号公報
【発明の開示】
【発明が解決しようとする課題】
【０００５】
そこで、上述の事情に鑑み、本発明では、作業効率がよく、洗浄対象物を損傷させずに洗浄可能な洗浄装置を提供することを課題としている。
【課題を解決するための手段】
【０００６】
上述の課題を解決するため、本発明による洗浄装置においては、ブラインド等の洗浄対象物を擦り洗いする一対のブラシローラを有しており、この一対のブラシローラが互いに反対方向に回転駆動され、しかも、洗浄対象物と接する作業台側の下方部分が互いに離れる方向に回転することを特徴としている。
【発明の効果】
【０００７】
このような特徴を有するため、本発明による洗浄装置においては、一対のブラシローラが常に洗浄対象物に両方とも接している状態で洗浄するようにすることにより、洗浄対象物を損傷させることなく洗浄対象物を洗浄することができる。
【０００８】
即ち、一対のブラシローラがそれぞれ反対に回転するので、洗浄対象物がそれぞれのブラシローラとの摩擦により受ける力が釣り合い、打ち消し合うこととなる。このため、洗浄中の洗浄対象物の移動を抑制することができる。  更に、洗浄対象物の端部を洗浄する際、ブラシローラのブラシ部分が洗浄対象物の端部を外側に撫で下ろすように擦り洗いすることになり、洗浄対象物の端部を捲くり上げることがないので、洗浄対象物を損傷させずに洗浄することができる。
【発明を実施するための最良の形態】
【０００９】
以下に本発明による洗浄装置の一実施例について、添付の図１〜５を参照しつつ説明する。
【００１０】
図１は本発明による洗浄装置の一実施例を示す斜視図、図２は洗浄対象物を擦り洗いするブラシローラとその回転駆動装置及び送り（移動）機構を示した斜視図、図３は本発明による洗浄装置を模式的に表した縦断面図、図４は本発明による洗浄装置のブラシローラとブラインドの関係を示した図、図５は洗浄装置と一緒に用いるストッパーを示した斜視図である。
【００１１】
図１に示したように、本発明による洗浄装置は、ブラインド１等の洗浄対象物が載置、展延される作業台２を備えている。作業台２はステンレスのパンチングメタルを折り曲げて形成され、上面が平坦に形成された平坦部２ａと両側の垂直な側面部２ｂとを有し、平坦部２ａと両側の側面部２ｂとは滑らかな曲面２ｃで繋がれ、その断面が略蒲鉾型になるように形成されている。作業台２は、平坦部２ａの上面にてブラインド１等の洗浄対象物の展延された部分を担持する。作業台２の両側には作業台２を挟んで洗浄液３を貯留する一対の洗浄槽５及び６が配置されている。洗浄槽５及び６は平坦部２ａよりも鉛直下方に配置されると共に、各洗浄槽５、６に貯留される洗浄液の水位が等しくなるように各洗浄槽は連通管７（図３参照）により互いに接続されている。
【００１２】
作業台２及び洗浄槽５、６の長手方向の寸法は、市販されている最大幅のブラインドの幅寸法よりも少し大きく設定されているので、市販のブラインド全てに対応できるようになっている。即ち、市販のブラインドであれば、洗浄槽５に収納して洗浄液に浸しておくことができ、また、作業台２の長手方向に食み出すことなく平坦部２ａの上に展延することができる。
【００１３】
洗浄槽６の外側には濯ぎ槽８が併設される。濯ぎ槽８も洗浄槽５、６と同様に市販の最大幅のブラインドを収容できる大きさに形成されている。洗浄槽５、６及び濯ぎ槽８には、水道水等の清水を供給するための配管（不図示）が行われると共に、図３に示したように、排水用の排水口が設けられ、排水口にはそれぞれ止水栓１０が取り付けられている。
【００１４】
また、洗浄槽５、６及び濯ぎ槽８には、空気パイプ１２が沈められている。空気パイプ１２の側面には空気を放出するための複数の通気孔が空けられており、図示しないコンプレッサから圧縮空気が供給されるようになっている。従って、コンプレッサを作動させると、空気パイプから通気孔を通して空気が洗浄液若しくは濯ぎ用の清水中に放出され、洗浄液３及び濯ぎ用清水の対流を促すことができる。
【００１５】
作業台２の上方には、一対のブラシローラ１３が設けられている。ブラシローラ１３としては、外径が９０ｍｍ、ブラシの毛の長さが３０ｍｍ、ブラシの毛の太さが０．１３２ｍｍ、ブラシの毛の材質がナイロンのものを用いた。ブラシローラ１３は、これを回転駆動する回転駆動手段により回転駆動される。回転駆動手段は減速器１５を備えたモータ１６等の動力源とプーリ１７やベルト１８等の動力伝達部材で構成することができる。図１若しくは図２に示したように、一方のブラシローラに取り付けられたプーリに巻き付けられるベルトを襷掛けとすることにより、それぞれのブラシローラが互いに反対方向に回転駆動されるようになっている。  ブラシローラ１３は、その回転軸と直角な方向で、かつ一対の洗浄槽５、６を結ぶ方向と直角な方向に作業台の平坦部２ａ上面に沿って平行に移動できるように設けられている。
【００１６】
図示した実施例においては、作業台２を跨ぐ様に設けられ作業台の長手方向に平行移動自在な可動台２０にブラシローラ１３及び回転駆動手段は搭載されている。可動台２０には、洗浄槽５及び濯ぎ槽８の外側下端部近くに設けられたレール２１上を転動する車輪２２が回転自在に取り付けられており、このレール２１に沿って可動台は往復動するようになっている。
【００１７】
レール２１の下側にはラックギヤ２３が設けられ、可動台に回転自在に取り付けられたピニオンギヤ２５と噛み合っている。また、可動台２０には回転自在に手動ハンドル２６が取り付けられ、手動ハンドル２６の回転がスプロケット２７とチェーン２８を介してピニオンギヤ２５に伝達されるようになっている。従って、ハンドル２６を回動させることにより、ブラシローラ１３を作業台２の長手方向に自在に移動させることができる。
【００１８】
可動台２０には作業台平坦部２ａ上に展延された洗浄対象物及びブラシローラに洗浄液３を散布する洗浄液散布手段が搭載されており、洗浄対象物とブラシローラの接触部位に洗浄液を供給しブラシローラによる擦り洗いが円滑に行えるようになっている。洗浄液散布手段は、洗浄槽５から洗浄液を汲み上げる電動ポンプ３０と、ブラシローラの回転中心軸と平行に設けられたノズルパイプ３１と、これらを接続する配管３２とで構成されている。ノズルパイプ３１は、複数の孔が洗浄液の噴射方向に向けて開けられたパイプである。
【００１９】
また、可動台２０にはブラシローラ１３の作業台平坦部に対する高さを調整する高さ調整機構３４が設けられており、ブラシが磨耗して短くなった場合等にブラシローラ１３の高さを調整できるようになっている。具体的には、可動台２０は可動台上部と可動台下部とで構成されており、上部と下部を互いに締結するボルトとナットの締結力を緩めて相対的に昇降できる状態としたうえで、可動台上部の高さ調整用のボルトを回して可動台上部の高さを調整できるようになっている。このようにして適切な強さで洗浄対象物をブラシローラ１３が擦り洗いできるようになっている。
そして、上述した全ての機構が図示したように基台３３に支持されている。
【００２０】
作業台２の平坦部２ａには多数の透孔が形成されていることが望ましい。平坦部上に透孔を形成しておくと、展延された洗浄対象物に付着している余分な洗浄液が透孔から速やかに流れ落ちるので、洗浄液の表面張力や粘性によって互いに張り付いた羽板を平坦部上でばらばらにする捌き作業が容易となるからである。
【００２１】
そして、平坦部２ａに透孔を設ける場合は、平坦部の鉛直下方に、洗浄液誘導板３５が傾斜して設けられる。洗浄液誘導板３５は、平坦部から透孔を通って流れ落ちる洗浄液を受け止め、これを洗浄槽５に誘導するもので、洗浄液の循環再利用を可能としている。  なお、平坦部２ａに透孔を設けない場合も、余分な洗浄液は作業台の側面を伝って洗浄槽に流れ落ちることになるので、洗浄液の循環再利用は可能である。
【００２２】
作業台２は錆の発生を抑制するため、その素材としてステンレスを用いることが望ましく、上述したように平坦部に多数の透孔を設けることを考慮するといわゆるパンチングメタルを用いることが望ましい。
【００２３】
上述のように作業台２の材料としてステンレスを用いた場合、洗浄対象物であるブラインド１の羽板と作業台２とが直接接触して擦れると羽板の接触部分にステンレスの金属成分が付着し返って羽板が汚れるという問題が生じる。そこで、この問題を解決するため、作業台の上面にポリエチレン等の樹脂フィルムを貼付して、ステンレスの作業台と洗浄対象物が直接接触するのを防止する接触防止処理を施すことが望ましい。なお、この接触防止処理は、樹脂フィルムを作業台に貼付する他、作業台の表面にフッ素樹脂をコーティングすることによっても可能である。
【００２４】
作業台２に上述の接触防止処理を施す場合、ブラインドの羽板との摩擦抵抗をステンレスで形成された作業台の摩擦抵抗よりも小さくすることができる素材を選択することが望ましい。そのような素材として、例えば上述したポリエチレンフィルムやフッ素系の樹脂フィルムを挙げることができる。このように、ステンレスよりも摩擦抵抗の小さい素材を用いると、洗浄液３に浸漬されているブラインド等の洗浄対象物を洗浄槽５から作業台の平坦部２ａ上に引き上げて展延する場合など、ブラインドの羽板を作業台上で滑らせる場合に、摩擦抵抗が少なくなり、作業が容易となるので好ましい。
【００２５】
一方、ブラシローラによる洗浄の際、図４に示したように、ブラインドの羽板３６の端から一方のブラシローラが外れると、摩擦抵抗が少なくなった分、羽板が他方のブラシローラから受ける摩擦力のため他端側（図中の矢印３７方向）に移動し易くなる。この場合に、羽板３６の移動を防止するため、羽板の反対側端部をストッパー３８で止めておくことが望ましい。
【００２６】
ストッパー３８は、例えば図５に示したように、細長い板状部材３８ａの下面に一対の突起３８ｂを一体的に形成して得ることができ、一対の突起３８ｂを作業台平坦部２ａに形成されている透孔に差し込むことで水平方向における移動が規制されるようになっている。
【００２７】
次に、上述した洗浄装置を用いてブラインドを洗浄する方法について、その手順を追って説明する。
【００２８】
まず、洗浄対象物であるブラインドを洗浄槽５内の洗浄液３に浸し、洗浄液をブラインドの羽板の表面に行き亘らせる。次に、ブラインド１を洗浄槽から引き上げ、ブラインドの上端部分から作業台の平坦部２ａに展延させる。このとき、作業台の側面部２ｂと平坦部２ａとが滑らかな曲面２ｃで繋げられているので、ブラインド１を作業台２の表面に沿って滑らせて平坦部２ａ上に円滑に展延させることができる。
【００２９】
ブラインドの羽板は、洗浄液の粘性や表面張力のため互いに張り付いていることがあるので、これを平坦部上で人手により捌いた後、手動ハンドル２６を回転させて可動台２０を移動させ、一対のブラシローラ１３を平坦部２ａ上に展延されたブラインドの上に移動させる。そして、ブラシローラが両方とも洗浄対象物である羽板の表面に接触したことを確認して、洗浄液散布手段を作動させると共に、電動モータ１６を駆動しブラシローラ１３を回転させ、洗浄を開始する。そして、更に手動ハンドル２６を操作してブラシローラを羽板の端から端まで移動させて羽板を洗浄する。
【００３０】
なお、羽板端部の洗浄の際、図４に示したように、一対のブラシローラが両方とも羽板を擦り洗いしている（羽板３６を鎖線で示している）状態から、外側のブラシローラが羽板の端部を通過して羽板に接触していない（羽板３６を実線で示している）状態となることは問題がない。しかし、ブラインドの中央側にあるブラシローラが羽板の端を擦り洗いする状態になると、羽板端部を捲くり上げる虞が生ずる。従って、ブラインドの中央側に位置するブラシローラが羽板の端に掛からない様にブラシローラの移動を制御する必要がある。
【００３１】
平坦部２ａ上に展延された羽板の洗浄が終了したら、ブラシローラの回転を止めると共に洗浄液散布手段の作動も止め、一旦可動台２０をブラインドの上から待機位置（図１では最も手前の位置）へ移動させる。そして、未洗浄の羽板を平坦部２ａ上に展延し、上述の作業を繰り返す。
【００３２】
洗浄作業が終了したら、ブラインドを洗浄槽から濯ぎ槽に移し変えて、洗浄液を濯ぎ落とす。濯ぎは、清水を濯ぎ槽に溜めて行う溜め濯ぎを行っても良いし、清水を流しながら行う流水濯ぎを行っても良い。濯ぎが終わったら、ブラインドを風通しの良い日陰に干すなどして作業は終了する。
【００３３】
上述の説明で用いた洗浄液は、ＡＤＥＫＡクリーンエイド株式会社製のアデカクリーナオフという洗剤を水道水で希釈し、１％溶液としたものを用いた。洗浄液は常温でも十分な洗浄力を有するが、冬場等周辺温度が低下する場合は洗浄槽の洗浄液中に加温用のヒータを沈めるなどして、洗浄液温度を２０°Ｃ以上に保つようにすることが望ましい。
【００３４】
以上の説明では、洗浄対象物として羽板が上下に昇降するタイプのブラインドを例に採用して説明したが、洗浄対象物としては、縦長のルーバーが水平方向に移動するタイプのバーチカルブラインドや建物の窓に遮光のために取り付けられるロールスクリーン、映像投影用に用いられる映写幕（スクリーン）を想定することが可能であり、本発明による洗浄装置によれは、上述の説明のように、洗浄中に洗浄対象物の端部を捲くり上げて損傷させることなく洗浄対象物を洗浄することが可能である。
【産業上の利用可能性】
【００３５】
本発明による洗浄装置は、その製造の面で機械産業上の利用可能性があり、その使用の面でクリーニングというサービス業上の利用可能性を有する。
【図面の簡単な説明】
【００３６】
【図１】本発明による洗浄装置の実施例を示した斜視図である。
【図２】本発明による洗浄装置の一部、主に洗浄対象物を擦り洗いするブラシローラとその回転駆動装置及びこれらの送り（移動）機構を示した斜視図である。
【図３】本発明による洗浄装置を少し模式的に表した縦断面図である。
【図４】ブラシローラとブラインドの羽板との洗浄中における位置関係を示した図である。
【図５】洗浄装置と一緒に用いるストッパーを示した斜視図である。
【符号の説明】
【００３７】
１    ブラインド
２    作業台
２ａ  平坦部
３    洗浄水
５    洗浄槽
６    洗浄槽
８    濯ぎ槽
１３  ブラシローラ
１６  電動モータ
１７  プーリ
１８  ベルト
２０  可動台
２６  手動ハンドル
３０  電動ポンプ
３１  ノズルパイプ
３５  洗浄液誘導板
３８  ストッパー
【図１】
2008194627.tif 000003
【図２】
2008194627.tif 000004
【図３】
2008194627.tif 000005
【図４】
2008194627.tif 000006
【図５】
2008194627.tif 000007
【手続補正書】
【提出日】平成19年7月20日(2007.7.20)
【手続補正１】
【補正対象書類名】図面
【補正対象項目名】図２
【補正方法】変更
【補正の内容】
【図２】
2008194627.tif 000008
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
展延性を有するブラインドを洗浄する洗浄装置であって、 
前記ブラインドの展延された部分を担持する平坦部を有する作業台と、 
前記作業台を挟んで前記作業台の両側に配置され、前記ブラインドの洗浄に用いられる洗浄液が貯留されると共に、前記ブラインドを収容し得る第１及び第２の洗浄槽と、 
前記作業台の平坦部上に展延されたブラインドの表面に接しながらその回転軸を中心に回転駆動されると共に、その回転軸と直角な方向でかつ前記第１及び第２の洗浄槽を結ぶ方向と直角な方向に前記作業台の平坦部上面に沿って前記平坦部の上方を移動自在に設けられた一対のブラシローラと、 
前記作業台の平坦部上に展延されたブラインド又は前記ブラシローラに前記第１又は第２の洗浄槽に貯留されている洗浄液を散布する洗浄液散布手段とを備え、 
前記作業台の平坦部上に展延された前記ブラインドの表面に前記一対のブラシローラが接した状態から前記ブラシローラによる前記ブラインドの洗浄が始められることを前提として、前記一対のブラシローラは前記作業台側の下方部分が互いに離れる方向に回転することを特徴とする洗浄装置。 
【請求項２】
請求項１に記載の洗浄装置であって、 
前記第１若しくは第２の洗浄槽は前記作業台の平坦部よりも鉛直方向下側に配置され、
前記作業台の平坦部には前記洗浄液散布手段により散布された洗浄液が流れ落ちる複数の透孔が形成され、 
前記作業台の平坦部の鉛直下方に傾斜して設けられ、前記透孔から流れ落ちる洗浄液を受け、これを前記作業台の平坦部よりも鉛直方向下方側に配置された前記第１若しくは第２の洗浄槽に誘導する洗浄液誘導板を備えることを特徴とする洗浄装置。 
【請求項３】
請求項１又は２に記載の洗浄装置であって、 
前記作業台はステンレスで形成され、その表面には前記ブラインドとの直接接触を防止する接触防止処理がされていることを特徴とする洗浄装置。 
【請求項４】
請求項１、２又は３に記載の洗浄装置を用いて前記ブラインドを洗浄する洗浄方法であって、 
前記作業台の平坦部上に展延された前記ブラインドの表面に前記一対のブラシローラが接した状態から前記ブラシローラによる前記ブラインドの洗浄を始めることを特徴とする洗浄方法。 
【手続補正２】
【補正対象書類名】明細書
【補正対象項目名】全文
【補正方法】変更
【補正の内容】
【発明の詳細な説明】
【技術分野】
【０００１】
本発明は、建物の窓に掛けられる展延性を有するブラインドの洗浄に適した洗浄装置及び洗浄方法に関するものである。 
【背景技術】
【０００２】
建築物の窓に遮光のために取り付けられるブラインドは、スラットと呼ばれる羽板を複数、所定の間隔をあけて昇降自在に吊り下げ、羽板の傾斜角度を調節することにより、遮光量を調節できるようになっている。ブラインドは、長期間の使用により羽板に埃が堆積するなどして汚れる。このように汚れたブラインドを洗浄する装置として、下記特許文献１及び２に掲載の洗浄装置が提案されている。 
【０００３】
特許文献１に掲載の洗浄装置は、超音波による振動エネルギーを利用した洗浄装置である。しかし、超音波を利用する洗浄装置の場合、洗剤を混ぜた洗浄液中での超音波洗浄だけではブラインドに汚れが残ることがあった。このため、結局視認による点検を行い、汚れが残っている場合は、その部分を束子やスポンジ等で人手に頼って擦り洗いする必要があり、作業効率の点で改善の余地があった。 
【０００４】
また、特許文献２に掲載の洗浄装置は、ブラインドの羽板をブラシで擦り洗いする洗浄装置であるが、ブラシによる擦り洗いの際、羽板の端部を捲り上げてブラインドを損傷させてしまう虞があった。 
【特許文献１】特開２０００−２０１８６０号公報
【特許文献２】特開平５−２８５４３１号公報
【発明の開示】
【発明が解決しようとする課題】
【０００５】
そこで、上述の事情に鑑み、本発明では、作業効率がよく、ブラインドを損傷させずに洗浄可能な洗浄装置を提供することを課題としている。 
【課題を解決するための手段】
【０００６】
上述の課題を解決するため、本発明による洗浄装置においては、ブラインドを擦り洗いする一対のブラシローラを有しており、この一対のブラシローラが互いに反対方向に回転駆動され、しかも、展延されたブラインドの表面に一対のブラシローラが接した状態からブラシローラによるブラインドの洗浄が始まることを前提として、ブラインドと接する作業台側の下方部分が互いに離れる方向に回転することを特徴としている。 
【発明の効果】
【０００７】
このような特徴を有するため、本発明による洗浄装置においては、一対のブラシローラが常にブラインドに両方とも接している状態で洗浄するようにすることにより、ブラインドを損傷させることなくブラインドを洗浄することができる。 
【０００８】
即ち、一対のブラシローラがそれぞれ反対に回転するので、ブラインドがそれぞれのブラシローラとの摩擦により受ける力が釣り合い、打ち消し合うこととなる。このため、洗浄中のブラインドの移動を抑制することができる。 
更に、ブラインドの端部を洗浄する際、ブラシローラのブラシ部分がブラインドの端部を外側に撫で下ろすように擦り洗いすることになり、ブラインドの端部を捲くり上げることがないので、ブラインドを損傷させずに洗浄することができる。 
【発明を実施するための最良の形態】
【０００９】
以下に本発明による洗浄装置の一実施例について、添付の図１〜５を参照しつつ説明する。 
【００１０】
図１は本発明による洗浄装置の一実施例を示す斜視図、図２はブラインドを擦り洗いするブラシローラとその回転駆動装置及び送り（移動）機構を示した斜視図、図３は本発明による洗浄装置を模式的に表した縦断面図、図４は本発明による洗浄装置のブラシローラとブラインドの関係を示した図、図５は洗浄装置と一緒に用いるストッパーを示した斜視図である。 
【００１１】
図１に示したように、本発明による洗浄装置は、ブラインド１が載置、展延される作業台２を備えている。作業台２はステンレスのパンチングメタルを折り曲げて形成され、上面が平坦に形成された平坦部２ａと両側の垂直な側面部２ｂとを有し、平坦部２ａと両側の側面部２ｂとは滑らかな曲面２ｃで繋がれ、その断面が略蒲鉾型になるように形成されている。作業台２は、平坦部２ａの上面にてブラインド１の展延された部分を担持する。作業台２の両側には作業台２を挟んで洗浄液３を貯留する一対の洗浄槽５及び６が配置されている。洗浄槽５及び６は平坦部２ａよりも鉛直下方に配置されると共に、各洗浄槽５、６に貯留される洗浄液の水位が等しくなるように各洗浄槽は連通管７（図３参照）により互いに接続されている。 
【００１２】
作業台２及び洗浄槽５、６の長手方向の寸法は、市販されている最大幅のブラインドの幅寸法よりも少し大きく設定されているので、市販のブラインド全てに対応できるようになっている。即ち、市販のブラインドであれば、洗浄槽５に収納して洗浄液に浸しておくことができ、また、作業台２の長手方向に食み出すことなく平坦部２ａの上に展延することができる。 
【００１３】
洗浄槽６の外側には濯ぎ槽８が併設される。濯ぎ槽８も洗浄槽５、６と同様に市販の最大幅のブラインドを収容できる大きさに形成されている。洗浄槽５、６及び濯ぎ槽８には、水道水等の清水を供給するための配管（不図示）が行われると共に、図３に示したように、排水用の排水口が設けられ、排水口にはそれぞれ止水栓１０が取り付けられている。
【００１４】
また、洗浄槽５、６及び濯ぎ槽８には、空気パイプ１２が沈められている。空気パイプ１２の側面には空気を放出するための複数の通気孔が空けられており、図示しないコンプレッサから圧縮空気が供給されるようになっている。従って、コンプレッサを作動させると、空気パイプから通気孔を通して空気が洗浄液若しくは濯ぎ用の清水中に放出され、洗浄液３及び濯ぎ用清水の対流を促すことができる。 
【００１５】
作業台２の上方には、一対のブラシローラ１３が設けられている。ブラシローラ１３としては、外径が９０ｍｍ、ブラシの毛の長さが３０ｍｍ、ブラシの毛の太さが０．１３２ｍｍ、ブラシの毛の材質がナイロンのものを用いた。ブラシローラ１３は、これを回転駆動する回転駆動手段により回転駆動される。回転駆動手段は減速器１５を備えたモータ１６等の動力源とプーリ１７やベルト１８等の動力伝達部材で構成することができる。図１若しくは図２に示したように、一方のブラシローラに取り付けられたプーリに巻き付けられるベルトを襷掛けとすることにより、それぞれのブラシローラが互いに反対方向に回転駆動されるようになっている。 
ブラシローラ１３は、その回転軸と直角な方向で、かつ一対の洗浄槽５、６を結ぶ方向と直角な方向に作業台の平坦部２ａ上面に沿って平行に移動できるように設けられている。 
【００１６】
図示した実施例においては、作業台２を跨ぐ様に設けられ作業台の長手方向に平行移動自在な可動台２０にブラシローラ１３及び回転駆動手段は搭載されている。可動台２０には、洗浄槽５及び濯ぎ槽８の外側下端部近くに設けられたレール２１上を転動する車輪２２が回転自在に取り付けられており、このレール２１に沿って可動台は往復動するようになっている。 
【００１７】
レール２１の下側にはラックギヤ２３が設けられ、可動台に回転自在に取り付けられたピニオンギヤ２５と噛み合っている。また、可動台２０には回転自在に手動ハンドル２６が取り付けられ、手動ハンドル２６の回転がスプロケット２７とチェーン２８を介してピニオンギヤ２５に伝達されるようになっている。従って、ハンドル２６を回動させることにより、ブラシローラ１３を作業台２の長手方向に自在に移動させることができる。 
【００１８】
可動台２０には作業台平坦部２ａ上に展延されたブラインド１及びブラシローラ１３に洗浄液３を散布する洗浄液散布手段が搭載されており、ブラインド１とブラシローラ１３の接触部位に洗浄液を供給しブラシローラによる擦り洗いが円滑に行えるようになっている。洗浄液散布手段は、洗浄槽５から洗浄液を汲み上げる電動ポンプ３０と、ブラシローラの回転中心軸と平行に設けられたノズルパイプ３１と、これらを接続する配管３２とで構成されている。ノズルパイプ３１は、複数の孔が洗浄液の噴射方向に向けて開けられたパイプである。 
【００１９】
また、可動台２０にはブラシローラ１３の作業台平坦部に対する高さを調整する高さ調整機構３４が設けられており、ブラシが磨耗して短くなった場合等にブラシローラ１３の高さを調整できるようになっている。具体的には、可動台２０は可動台上部と可動台下部とで構成されており、上部と下部を互いに締結するボルトとナットの締結力を緩めて相対的に昇降できる状態としたうえで、可動台上部の高さ調整用のボルトを回して可動台上部の高さを調整できるようになっている。このようにして適切な強さでブラインド１をブラシローラ１３が擦り洗いできるようになっている。 
そして、上述した全ての機構が図示したように基台３３に支持されている。 
【００２０】
作業台２の平坦部２ａには多数の透孔が形成されていることが望ましい。平坦部上に透孔を形成しておくと、展延されたブラインド１に付着している余分な洗浄液が透孔から速やかに流れ落ちるので、洗浄液の表面張力や粘性によって互いに張り付いた羽板を平坦部上でばらばらにする捌き作業が容易となるからである。 
【００２１】
そして、平坦部２ａに透孔を設ける場合は、平坦部の鉛直下方に、洗浄液誘導板３５が傾斜して設けられる。洗浄液誘導板３５は、平坦部から透孔を通って流れ落ちる洗浄液を受け止め、これを洗浄槽５に誘導するもので、洗浄液の循環再利用を可能としている。 
なお、平坦部２ａに透孔を設けない場合も、余分な洗浄液は作業台の側面を伝って洗浄槽に流れ落ちることになるので、洗浄液の循環再利用は可能である。 
【００２２】
作業台２は錆の発生を抑制するため、その素材としてステンレスを用いることが望ましく、上述したように平坦部に多数の透孔を設けることを考慮するといわゆるパンチングメタルを用いることが望ましい。 
【００２３】
上述のように作業台２の材料としてステンレスを用いた場合、ブラインド１の羽板と作業台２とが直接接触して擦れると羽板の接触部分にステンレスの金属成分が付着し、羽板が汚れるという問題が生じる。そこで、この問題を解決するため、作業台の上面にポリエチレン等の樹脂フィルムを貼付して、ステンレスの作業台とブラインド１が直接接触するのを防止する接触防止処理を施すことが望ましい。なお、この接触防止処理は、樹脂フィルムを作業台に貼付する他、作業台の表面にフッ素樹脂をコーティングすることによっても可能である。 
【００２４】
作業台２に上述の接触防止処理を施す場合、ブラインドの羽板との摩擦抵抗をステンレスで形成された作業台の摩擦抵抗よりも小さくすることができる素材を選択することが望ましい。そのような素材として、例えば上述したポリエチレンフィルムやフッ素系の樹脂フィルムを挙げることができる。このように、ステンレスよりも摩擦抵抗の小さい素材を用いると、洗浄液３に浸漬されているブラインド１を洗浄槽５から作業台の平坦部２ａ上に引き上げて展延する場合など、ブラインドの羽板を作業台上で滑らせる場合に、摩擦抵抗が少なくなり、作業が容易となるので好ましい。 
【００２５】
一方、ブラシローラによる洗浄の際、図４に示したように、ブラインドの羽板３６の端から一方のブラシローラが外れると、摩擦抵抗が少なくなった分、羽板が他方のブラシローラから受ける摩擦力のため他端側（図中の矢印３７方向）に移動し易くなる。この場合に、羽板３６の移動を防止するため、羽板の反対側端部をストッパー３８で止めておくことが望ましい。 
【００２６】
ストッパー３８は、例えば図５に示したように、細長い板状部材３８ａの下面に一対の突起３８ｂを一体的に形成して得ることができ、一対の突起３８ｂを作業台平坦部２ａに形成されている透孔に差し込むことで水平方向における移動が規制されるようになっている。 
【００２７】
次に、上述した洗浄装置を用いてブラインドを洗浄する方法について、その手順を追って説明する。 
【００２８】
まず、ブラインド１を洗浄槽５内の洗浄液３に浸し、洗浄液をブラインドの羽板の表面に行き亘らせる。次に、ブラインド１を洗浄槽から引き上げ、ブラインドの上端部分から作業台の平坦部２ａに展延させる。このとき、作業台の側面部２ｂと平坦部２ａとが滑らかな曲面２ｃで繋げられているので、ブラインド１を作業台２の表面に沿って滑らせて平坦部２ａ上に円滑に展延させることができる。 
【００２９】
ブラインド１の羽板は、洗浄液の粘性や表面張力のため互いに張り付いていることがあるので、これを平坦部上で人手により捌いた後、手動ハンドル２６を回転させて可動台２０を移動させ、一対のブラシローラ１３を平坦部２ａ上に展延されたブラインドの上に移動させる。そして、ブラシローラが両方ともブラインドの羽板の表面に接触したことを確認して、洗浄液散布手段を作動させると共に、電動モータ１６を駆動しブラシローラ１３を回転させ、洗浄を開始する。そして、更に手動ハンドル２６を操作してブラシローラを羽板の端から端まで移動させて羽板を洗浄する。 
【００３０】
なお、羽板端部の洗浄の際、図４に示したように、一対のブラシローラが両方とも羽板を擦り洗いしている（羽板３６を鎖線で示している）状態から、外側のブラシローラが羽板の端部を通過して羽板に接触していない（羽板３６を実線で示している）状態となることは問題がない。しかし、ブラインドの中央側にあるブラシローラが羽板の端を擦り洗いする状態になると、羽板端部を捲くり上げる虞が生ずる。従って、ブラインドの中央側に位置するブラシローラが羽板の端に掛からない様にブラシローラの移動を制御する必要がある。 
【００３１】
平坦部２ａ上に展延された羽板の洗浄が終了したら、ブラシローラの回転を止めると共に洗浄液散布手段の作動も止め、一旦可動台２０をブラインドの上から待機位置（図１では最も手前の位置）へ移動させる。そして、未洗浄の羽板を平坦部２ａ上に展延し、上述の作業を繰り返す。 
【００３２】
洗浄作業が終了したら、ブラインドを洗浄槽から濯ぎ槽に移し変えて、洗浄液を濯ぎ落とす。濯ぎは、清水を濯ぎ槽に溜めて行う溜め濯ぎを行っても良いし、清水を流しながら行う流水濯ぎを行っても良い。濯ぎが終わったら、ブラインドを風通しの良い日陰に干すなどして作業は終了する。 
【００３３】
上述の説明で用いた洗浄液は、ＡＤＥＫＡクリーンエイド株式会社製のアデカクリーナオフという洗剤を水道水で希釈し、１％溶液としたものを用いた。洗浄液は常温でも十分な洗浄力を有するが、冬場等周辺温度が低下する場合は洗浄槽の洗浄液中に加温用のヒータを沈めるなどして、洗浄液温度を２０°Ｃ以上に保つようにすることが望ましい。 
【産業上の利用可能性】
【００３４】
本発明による洗浄装置は、その製造の面で機械産業上の利用可能性があり、その使用の面でクリーニングというサービス業上の利用可能性を有する。 
【図面の簡単な説明】
【００３５】
【図１】本発明による洗浄装置の実施例を示した斜視図である。
【図２】本発明による洗浄装置の一部、主にブラインドを擦り洗いするブラシローラとその回転駆動装置及びこれらの送り（移動）機構を示した斜視図である。
【図３】本発明による洗浄装置を少し模式的に表した縦断面図である。
【図４】ブラシローラとブラインドの羽板との洗浄中における位置関係を示した図である。
【図５】洗浄装置と一緒に用いるストッパーを示した斜視図である。
【符号の説明】
【００３６】
１    ブラインド 
２    作業台 
２ａ  平坦部 
３    洗浄水 
５    洗浄槽 
６    洗浄槽 
８    濯ぎ槽 
１３  ブラシローラ 
１６  電動モータ 
１７  プーリ 
１８  ベルト 
２０  可動台 
２６  手動ハンドル 
３０  電動ポンプ 
３１  ノズルパイプ 
３５  洗浄液誘導板 
３８  ストッパー